(57)【特許請求の範囲】
【請求項１】
装置本体に装着して使用するアタッチメントであって、
前記装置本体に対する装着面の最外観面より内側方向に可動に内蔵される可動磁性体と、
前記可動磁性体を前記装着面の最外観面より内側に吸着する第一の吸着材と、を備え、
当該アタッチメントが前記装置本体に装着されていない状態では、前記第一の吸着材により前記可動磁性体が前記装着面の最外観面より内側に吸着され、前記装着面の最外観面より低くなる一方、
当該アタッチメントが前記装置本体に装着された状態では、前記装置本体の装着面に備えられた第二の吸着材に前記可動磁性体が吸着され、前記装着面の最外観面となることを特徴とするアタッチメント。
【請求項２】
前記第一の吸着材及び第二の吸着材は磁性体であることを特徴とする請求項１に記載のアタッチメント。
【請求項３】
前記第一の吸着材の磁性体は、前記第二の吸着材の磁性体より前記可動磁性体を吸着する磁力が弱いことを特徴とする請求項２に記載のアタッチメント。
【請求項４】
前記可動磁性体と前記第一の吸着材の磁性体との間にスペーサが配置されていることを特徴とする請求項２に記載のアタッチメント。
【請求項５】
前記スペーサは緩衝材であることを特徴とする請求項４に記載のアタッチメント。
【請求項６】
前記第一の吸着材はバネであることを特徴とする請求項１に記載のアタッチメント。
【請求項７】
前記第一の吸着材のバネは、前記第二の吸着材の磁性体より前記可動磁性体を吸着する吸着力が弱いことを特徴とする請求項６に記載のアタッチメント。
【請求項８】
前記可動磁性体は、内蔵される前記装置本体の前記装着面側に向かって細くなる断面形状の挿入部内において可動であって、該挿入部に合わせて該装着面側に向かって細くなる断面形状に形成されていることを特徴とする請求項１に記載のアタッチメント。
【請求項９】
前記装置本体は撮像装置であり、
前記アタッチメントはコンバージョンレンズ或いはフィルタであることを特徴とする請求項１から８のいずれか一項に記載のアタッチメント。
【請求項１０】
請求項１から９のいずれか一項に記載のアタッチメントと、
前記アタッチメントを装着する装着面に、前記可動磁性体を吸着する吸着材を備えた装置本体と、からなるアタッチメント装着システム。
【請求項１１】
前記装置本体は前記アタッチメントを装着しない状態であっても撮像可能なレンズを有する撮像手段を備え、
前記アタッチメントを装着することで前記レンズの光学特性を変化させることが可能な撮像装置の筐体であることを特徴とする請求項１０に記載のアタッチメント装着システム。
【請求項１２】
請求項１から９のいずれか一項に記載のアタッチメントを装置本体の装着面に重ね、前記第二の吸着材に前記可動磁性体を吸着させて、前記装置本体に前記アタッチメントを装着状態に保持することを特徴とするアタッチメント装着方法。
【請求項１３】
前記装置本体に対する前記アタッチメントの装着状態において、
前記装置本体に対し前記アタッチメントを引っ張ることにより、前記第二の吸着材に対する前記可動磁性体の吸着が解除されることを特徴とする請求項１２に記載のアタッチメント装着方法。
【発明の詳細な説明】
【技術分野】
【０００１】
本発明は、カメラ等に装着するアタッチメントと、そのアタッチメントの装着システムと装着方法に関する。
【背景技術】
【０００２】
例えばカメラ本体にレンズ鏡筒やコンバージョンレンズなどの光学部品を着脱可能な構造として、ネジ式マウント、バヨネット式マウント、スピゴット式等が一般的に用いられている。
一方、デジタルカメラ等の撮像装置におけるレンズの焦点距離を変更するためのアタッチメントとして、ワイドコンバージョンレンズやテレコンバージョンレンズが知られており、また、追加機能として魚眼レンズや３Ｄレンズがある。
これらのコンバージョンレンズを撮像装置に装着した場合、フォーカス制御や画像処理等を変更しなければならない場合がある。このため、コンバージョンレンズが装着されたか否かを検出する機構がしばしば撮像装置に備えられる。
コンバージョンレンズの装着を検出する方法には、機械的方法と電気的方法がある。
機械的方法には、撮像装置にコンバージョンレンズが装着された時に、撮像装置に備えられた検出爪が押下されるようにする方法がある。
また、電気的方法には、撮像画面の四隅における画素の輝度に基づいて、ケラレの発生を検出することで、テレコンの装着を自動的に検出する方法がある。
【０００３】
そして、カメラにおいて、交換レンズをマグネットにより装着する方式が特許文献１に提案されている。
また、携帯電話用カメラにおいて、交換レンズ、各種フィルタ等のアタッチメントをマグネットにより装着する方式が特許文献２に提案されている。
【先行技術文献】
【特許文献】
【０００４】
【特許文献１】特開平８−２２７０９６号公報
【特許文献２】特開２００７−２０６１３７号公報
【発明の概要】
【発明が解決しようとする課題】
【０００５】
しかし、従来の技術は、どれもカメラから光学部（レンズ）を丸ごと取り替えることを前提にしており、光学部を外した状態での本体構造は外観的に考慮されていないものであった。
【０００６】
そして、カメラとコンバージョンレンズの吸着力を得るために、コンバージョンレンズ側に実装される磁石を最外観面にする必要があり、その場合、コンバージョンレンズを落下した際に磁石が破損してしまう問題がある。
また、コンバージョンレンズを持つ手の油が磁石に付着する問題もある。
そこで、コンバージョンレンズ側の磁石を最外観面にせずに吸着力を得る手法として、例えばカメラ側にも磁石を実装し、互いに磁石で引っ張り合わせる手法が考えられるが、その場合、カメラのレンズ周囲に磁石を配置することになり、レンズモータに悪影響を与える恐れがある。
また、カメラに配置している磁石に砂鉄等のゴミが付着してしまう問題がある。
【０００７】
本発明の課題は、アタッチメントを装置本体に装着するために磁性体を使用する方式において、アタッチメント取り扱い時の磁性体を保護するとともに、装置本体も保護することである。
【課題を解決するための手段】
【０００８】
以上の課題を解決するため、本発明は、装置本体に装着して使用するアタッチメントであって、前記装置本体に対する装着面の最外観面より内側方向に可動に内蔵される可動磁性体と、前記可動磁性体を前記装着面の最外観面より内側に吸着する第一の吸着材と、を備え、当該アタッチメントが前記装置本体に装着されていない状態では、前記第一の吸着材により前記可動磁性体が前記装着面の最外観面より内側に吸着され、前記装着面の最外観面より低くなる一方、当該アタッチメントが前記装置本体に装着された状態では、前記装置本体の装着面に備えられた第二の吸着材に前記可動磁性体が吸着され、前記装着面の最外観面となることを特徴とする。
【発明の効果】
【０００９】
本発明によれば、ユーザーのアタッチメント取り扱い時の落下や不意にぶつける等の衝撃から磁性体の破損を防ぐことができ、また、アタッチメントを持つ手の油が磁性体に付着することも防ぐことができる。
しかも、装置本体の電子部品に悪影響を与える心配がなく、また、装置本体に砂鉄等のごみが付くことを防ぐことができる。
【図面の簡単な説明】
【００１０】
【図１】本発明を適用したアタッチメントを装着する装置本体の一実施形態の構成を示す斜視図である。
【図２】装置本体にアタッチメントを装着した状態を示すもので、平面図（ａ）と、その縦断側面図（ｂ）である。
【図３】図２（ｂ）の要部拡大図である。
【図４】アタッチメントを上方から見た斜視図（ａ）と、その下方から見た図（ｂ）である。
【図５】アタッチメントの平面図（ａ）と、その縦断側面図（ｂ）である。
【図６】図５（ｂ）の要部拡大図である。
【図７】アタッチメント装着の瞬間を示す図３と同様の拡大断面図である。
【発明を実施するための形態】
【００１１】
以下、図を参照して本発明を実施するための形態を詳細に説明する。
（実施形態）
図１はアタッチメントを装着する装置本体としてのカメラ１を示すもので、カメラ１のフロントケース１１には、図示のように、レンズ１２の周囲にアタッチメントを装着するための装着溝１３が形成されている。この装着溝１３の底面には、吸着材としての磁性体１４が配置されている。
【００１２】
図２はカメラ１にアタッチメントとしてのコンバージョンレンズ２を装着した状態を示すもので、図２（ａ）は平面図、図２（ｂ）は縦断側面図である。
図３は図２（ｂ）の要部拡大図である。
【００１３】
ここで、カメラ１は、コンバージョンレンズ無しでもカメラとしての機能を有しており、コンバージョンレンズ２を着けることにより、魚眼や３Ｄ等といった別の光学的機能を持つことを特徴とする。
よって、カメラ１は、コンバージョンレンズ２が着いていないときでも製品として成り立つ外観の仕上げ及び形状になっている。
【００１４】
図４はコンバージョンレンズ２を示すもので、図４（ａ）は上方から見た斜視図、図４（ｂ）は下方から見た図である。
図５（ａ）はコンバージョンレンズ２の平面図、図５（ｂ）はその縦断側面図である。
【００１５】
図示のように、コンバージョンレンズ２は、ケース２１でレンズ２２の周囲が覆われている。
そして、ケース２１のレンズ２２の周囲の基端部は、カメラ１の装着溝１３に挿入される挿入部２３となっている。
この挿入部２３の内部には、図４（ｂ）に示すように、円周方向に沿った三箇所に円弧形状の磁性体である磁石２４が、コンバージョンレンズ２のカメラ１に対する装着方向に沿って可動に内蔵されている。
【００１６】
さらに、挿入部２３の内部には、図６に拡大して示すように、磁石２４の上に、緩衝材としての樹脂壁によるスペーサ２５を介装して、吸着材としての磁性体２６が内蔵されている。
ここで、磁石２４、スペーサ２５及び磁性体２６は、図示のように、挿入部２３に上下貫通して形成されたテーパー溝２７に組み込まれている。
【００１７】
すなわち、テーパー溝２７は、内周側が垂直壁で、外周側が傾斜壁で、下方に向かって次第に幅が狭くなる断面形状に形成されている。
このテーパー溝２７内に、その略下半部のテーパー形状に対応して下方に向かって細くなる断面形状の磁石２４が可動に配置されている。そして、テーパー溝２７の略上半部に、そのテーパー形状に各々対応して下方に向かって細くなる断面形状のスペーサ２５とその上の磁性体２６が固定配置されている。
【００１８】
以上において、コンバージョンレンズ２のケース２１の挿入部２３に内蔵された磁石２４は、カメラ１にコンバージョンレンズ２を装着していない場合、図５（ｂ）及び図６に示すように、テーパー溝２７内において、スペーサ２５を挟み、その上の磁性体２６に引き付けられており、挿入部２３下端の最外観面よりもテーパー溝２７内に凹んだ状態になっている。
【００１９】
カメラ１にコンバージョンレンズ２を装着する場合、カメラ１の装着溝１３にコンバージョンレンズ２の挿入部２３を挿入する。
【００２０】
図７はカメラ１にコンバージョンレンズ２を装着する瞬間を示す拡大断面図である。
【００２１】
図示のように、コンバージョンレンズ２のケース２１の挿入部２３を、カメラ１の装着溝１３に挿入した瞬間の磁石２４と磁性体２６、装着溝１３の磁性体１４との距離をそれぞれｔ１、ｔ２とし、磁性体２６、装着溝１３の磁性体１４方向への磁石２４にかかる力をそれぞれｆ１、ｆ２とする。
そして、ｔ１＞＞ｔ２としておくことで、ｆ１＜ｆ２となり、図２（ｂ）及び図３に示すように、磁石２４は装着溝１３の磁性体１４に引き付けられ、コンバージョンレンズ２とカメラ１が結合される。
【００２２】
また、コンバージョンレンズ２の磁性体２６よりもカメラ１の磁性体１４に、より磁性の強い材料を使うことで、さらにｆ１＜ｆ２を実現しやすくなる。
例えば、磁性体２６をＳＵＳ４０３とし、これに対して磁性体１４を鉄とする。
【００２３】
コンバージョンレンズ２のケース２１の磁石２４と磁性体２６が配置されたテーパー溝２７には、図３のように、内周側の垂直壁に対し外周側が下方に向かって次第に幅が狭くなる角度が付いた傾斜壁となっているため、磁石２４がコンバージョンレンズ２から外れることはない。
【００２４】
また、カメラ１からコンバージョンレンズ２を引っ張って外すと、磁石２４は磁性体２６に引き付けられ、図６の状態に戻る。
【００２５】
以上のとおり、カメラ１とコンバージョンレンズ２の脱着が磁石２４による簡単な結合構造を提供できる。
しかも、コンバージョンレンズ２を着けていない時でも、カメラ１には外観的ダメージがないため、カメラ１を単体で使用する際にも製品価値を損なわない。
【００２６】
そして、コンバージョンレンズ２をカメラ１に装着するために磁石２４を使用する方式において、カメラ１側には磁石を実装することなく、コンバージョンレンズ２側の磁石２４のスライドを行い、コンバージョンレンズ２がカメラ１に実装されている時は、磁石２４が最外観面となり、カメラ１側の磁性体１４と強力に吸着し、未実装時には、磁石２４が最外観面より低くなることで、落下や他の衝撃から磁石２４の破損を防ぐことができる。
【００２７】
すなわち、カメラ１に対するコンバージョンレンズ２の未装着時には、磁石２４が最外観面よりもテーパー溝２７内に凹んだ状態になっているため、ユーザーによるコンバージョンレンズ２の取り扱い時の落下や不意にぶつける等の衝撃から磁石２４の破損を防ぐことができ、また、コンバージョンレンズ２を持つ手の油が磁石２４に付着するのも防ぐことができる。
しかも、カメラ１側には磁石を実装せずに、コンバージョンレンズ２の磁石２４のスライド構造を実現させているため、カメラ１のレンズモータに悪影響を与える心配がなく、また、カメラ１に砂鉄等のごみが付くことを防ぐことができる。
【００２８】
（変形例）
また、実施形態では、コンバージョンレンズ２に内蔵された磁石２４を磁性体２６で吸着したが、磁石２４は、磁性体２６に代えて、バネで吸着してもよい。
その場合、バネは、カメラ１の装着溝１３の磁性体１４より磁石２４を吸着する吸着力を弱く設定する。
このように、吸着材をバネとすればコストを安く抑えられる。
【００２９】
なお、実施形態では、３個の円弧形状の磁石２４としたが、磁石は２個でも４個以上でも、或いはドーナツ状の１個でもよい。
さらに、実施形態では、磁石２４と磁性体２６間に緩衝材としてスペーサ２５を設けたが、スペーサを設けずに、空間としてストッパを設けるようにしてもよい。
また、磁石と磁性体の関係は、実施形態と逆にしてもよい。
また、可動する磁石を装置本体側に内蔵させる構成としてもよい。
【００３０】
（他の変形例）
以上の実施形態においては、カメラとしたが、本発明はこれに限定されるものではなく、カメラを備える携帯電話など他の電子機器であってもよい。
さらに、実施形態では、コンバージョンレンズとしたが、フィルタ等、他のアタッチメントであってもよい。
【００３１】
また、実施形態では、磁石としたが、磁石が内蔵された磁性体でもよい。
さらに、磁石、磁性体、吸着材の数や形状、溝の形状等も任意であり、その他、具体的な細部構造等についても適宜に変更可能であることは勿論である。
【００３２】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
装置本体に装着して使用するアタッチメントであって、
前記装置本体に対する装着面側に、その装着方向に可動に内蔵される可動磁性体と、
前記可動磁性体を前記装着面側と反対側に吸着する第一の吸着材と、を備え、
当該アタッチメントが前記装置本体に装着されていない状態では、前記第一の吸着材により前記可動磁性体が前記装着面側と反対側に吸着される一方、
当該アタッチメントが前記装置本体に装着された状態では、前記装置本体の装着面に備えられた第二の吸着材に前記可動磁性体が吸着されることを特徴とするアタッチメント。
＜請求項２＞
前記第一の吸着材及び第二の吸着材は磁性体であることを特徴とする請求項１に記載のアタッチメント。
＜請求項３＞
前記第一の吸着材の磁性体は、前記第二の吸着材の磁性体より前記可動磁性体を吸着する磁力が弱いことを特徴とする請求項２に記載のアタッチメント。
＜請求項４＞
前記可動磁性体と前記第一の吸着材の磁性体との間にスペーサが配置されていることを特徴とする請求項２に記載のアタッチメント。
＜請求項５＞
前記スペーサは緩衝材であることを特徴とする請求項４に記載のアタッチメント。
＜請求項６＞
前記第一の吸着材はバネであることを特徴とする請求項１に記載のアタッチメント。
＜請求項７＞
前記第一の吸着材のバネは、前記第二の吸着材の磁性体より前記可動磁性体を吸着する吸着力が弱いことを特徴とする請求項６に記載のアタッチメント。
＜請求項８＞
前記可動磁性体は、内蔵される前記装置本体の前記装着面側に向かって細くなる断面形状の挿入部に合わせて該装着面側に向かって細くなる断面形状に形成されていることを特徴とする請求項１に記載のアタッチメント。
＜請求項９＞
前記装置本体は撮像装置であり、
前記アタッチメントはコンバージョンレンズ或いはフィルタであることを特徴とする請求項１から８のいずれか一項に記載のアタッチメント。
＜請求項１０＞
請求項１から９のいずれか一項に記載のアタッチメントと、
前記アタッチメントを装着する装着面に、前記可動磁性体を吸着する吸着材を備えた装置本体と、からなるアタッチメント装着システム。
＜請求項１１＞
前記装置本体は前記アタッチメントを装着しない状態であっても撮像可能なレンズを有する撮像手段を備え、
前記アタッチメントを装着することで前記レンズの光学特性を変化させることが可能な撮像装置の筐体であることを特徴とする請求項１０に記載のアタッチメント装着システム。
＜請求項１２＞
請求項１から９のいずれか一項に記載のアタッチメントを装置本体の装着面に重ね、前記第二の吸着材に前記可動磁性体を吸着させて、前記装置本体に前記アタッチメントを装着状態に保持することを特徴とするアタッチメント装着方法。
＜請求項１３＞
前記装置本体に対する前記アタッチメントの装着状態において、
前記装置本体に対し前記アタッチメントを引っ張ることにより、前記第二の吸着材に対する前記可動磁性体の吸着が解除されることを特徴とする請求項１２に記載のアタッチメント装着方法。
【符号の説明】
【００３３】
１  カメラ
１３  装着溝
１４  吸着材
２  コンバージョンレンズ
２３  挿入部
２４  磁石
２５  スペーサ
２６  磁性体
２７  テーパー溝
【図１】
0005821381.tif 000002
【図２】
0005821381.tif 000003
【図３】
0005821381.tif 000004
【図４】
0005821381.tif 000005
【図５】
0005821381.tif 000006
【図６】
0005821381.tif 000007
【図７】
0005821381.tif 000008